(57)【要約】      （修正有）【課題】背景色の映り込みのない装飾模様を備えた装飾部材を得ると共に、装飾模様の色彩を装飾板を代えずに容易に変更可能にする。【解決手段】自動車のステアリングホイールに取り付ける装飾部材であって、裏面側から装飾模様Ｄを凹設した透明な装飾板１２と、該装飾板１２の裏面に当接配置した不透明な着色当接板１４と、前記装飾板１２及び前記当接板１４を一体に保持するリング１６とからなり、前記装飾板１２の装飾模様Ｄ部分以外の部分をシルク印刷で黒色に塗装し、かつ前記当接板１４の表面を蒸着メッキにより銀色塗装を施すことで、前記装飾板１２の透明な装飾模様Ｄ部分の銀色に背景色の黒色が映り込まないようにする。【選択図】図１
2006131083.tif 000002
【特許請求の範囲】
【請求項１】
自動車のステアリングホイールに取り付ける装飾部材であって、裏面に装飾模様が凹設された透明な装飾板と、該装飾板の裏側に配置した不透明な着色当接板とを有し
少なくとも前記装飾板の装飾模様を除く一部に前記当接板と異なる不透明な着色を施したことを特徴とする装飾部材。
【請求項２】
請求項１に記載された装飾部材において、
前記装飾板及び前記着色当接板を一体に保持する保持枠を備えていることを特徴とする装飾部材。
【請求項３】
請求項２に記載された装飾部材において、
前記保持枠は、前記装飾板と前記着色当接板の外周を保持する環状枠であることを特徴とする装飾部材。
【請求項４】
請求項１ないし３のいずれかの装飾部材を備えたエアバッグ装置。
【発明の詳細な説明】
【技術分野】
【０００１】
本発明は、ステアリングホイールに装着される装飾部材、或いはステアリングホイールに装着されるエアバッグ装置の装飾部材及び該装飾部材を備えたエアバッグ装置に関するものである。
【背景技術】
【０００２】
従来、自動車の運転席用のエアバッグ装置として、その装飾性を高めるために、自動車のステアリングホイールに取り付けるエアバッグ装置のカバーに、別部材の装飾模様品を取り付けたものが知られている（特許文献１参照）。
即ち、図５に示すように、エアバッグカバー本体１２１がステアリングホイール１０１に装着され、かつカバー本体１２１の被覆部１２２の略中央部には、装飾模様品取付部１２８が一体に形成され、この装飾模様品取付部１２８に、装飾模様品１３１が取り付けられている。
【０００３】
この装飾模様品取付部１２８には、被覆部１２２の表面側が円環状に凹んだ環状凹部１２８ａが形成されており、装飾部材１３３は、表面にヘアライン加工を施したアルミニウム合金製の環状部材であり、装飾模様品取付部１２８の環状凹部１２８ａに嵌め込まれるようになっている。
【０００４】
このように、従来からエアバッグカーバーに装飾部材を備えたものが知られているが、装飾部材自体の構造としては、特許文献に記載されたものではないが、例えば図６にその断面で示す装飾部材が知られている。
また、図７にその一部拡大断面図を示す。
【０００５】
この装飾部材１０は、図示のように、裏面に装飾模様Ｄを肉薄に形成した透明な円形装飾板１２と、この装飾板１２裏側でこれに当接する略同径の当接板１４とを備えており、装飾板１２と当接板１４は、重ねた状態で環状枠（リング）１６に摺動可能に嵌合されている。
【０００６】
当接板１４の裏側には環状の案内突条１４ａが同心状に形成されており、この環状の案内突条１４ａは、前記リング１６を収容する略椀状の容器１８の底面に同心状に間隔を隔てて設けた２条の案内突状１８ａ内を摺動するよう、前記２条の案内突状１８ａ間に嵌合している。
【０００７】
前記環状の案内突条１４ａ内には扁平なすり鉢状に形成された第１の電極２０が、その底部分を前記容器１８の底の中心の六角孔１８ｂに嵌合した第２の電極となるボルト２２に対向させて配置されており、かつ、前記第１の電極２０と容器１８の底面との間にバネ２４が配置されている。なお、２２ａはボルト２２用の座金である。
【０００８】
第１の電極２０は、装飾板１２を押下したとき、バネ２４の弾発力に抗しながら、容器１８の前記２条の環状突条１８ａ間を下降し、前記ボルトである第２の電極２２に接触し、フォーン（警笛）回路を閉成する。
【０００９】
ここで、装飾板１２は、例えば透明なアクリル樹脂又はポリカーボネートでできており、その裏面に装飾模様Ｄが凹状に形成されている（本明細書では凹設という）と共に、図７に装飾板１２の一部を拡大して示すように、その模様Ｄ以外の部分には例えば黒塗装Ｂが施され、さらにその裏面に例えば銀塗装Ｓが施されている。
この構成により装飾板１２は、表面からみると装飾模様が黒色の背景色の中で銀色に浮かび上がって見える。
【００１０】
しかしながら、このようにして得られた銀色模様は、装飾板１２の表面からみて凸状となる装飾模様Ｄの裏側に銀色の塗装Ｓが施されているため、この銀色で周りの黒色を反射して銀色模様に黒色が映り込み、前記模様に陰影ができ、模様が全体として暗いイメージになり装飾板としての商品価値が下がるという問題がある。
【００１１】
また、装飾模様の色彩は装飾板の裏側に施した塗装により決まるため、装飾模様の色を変えたい場合には、装飾板自体を取り替える必要があり、コストが掛かるという問題もある。
【特許文献１】特開平９−１１８３８号公報
【発明の開示】
【発明が解決しようとする課題】
【００１２】
本発明は、前記従来技術の問題を解決すべくなされたものであって、その目的は、装飾部材において装飾模様の背景色の映り込みをなくし、装飾模様の暗いイメージを払拭して商品価値を上げると共に、装飾部材の色彩を装飾板を代えることなく、容易にかつ低コストで変更できるようにすることである。
【課題を解決するための手段】
【００１３】
請求項１の発明は、自動車のステアリングホイールに取り付ける装飾部材であって、裏面に装飾模様が凹設された透明な装飾板と、該装飾板の裏側に配置した不透明な着色当接板とを有し、少なくとも前記装飾板の装飾模様を除く一部に前記当接板と異なる不透明な着色を施したことを特徴とする装飾部材である。
請求項２の発明は、請求項１に記載された装飾部材において、前記装飾板及び前記着色当接板を一体に保持する保持枠を備えていることを特徴とする装飾部材である。
請求項３の発明は、請求項２に記載された装飾部材において、
前記保持枠は、前記装飾板と前記着色当接板の外周を保持する環状枠であることを特徴とする装飾部材である。
請求項４の発明は、請求項１ないし３のいずれかの装飾部材を備えたエアバッグ装置である。
【発明の効果】
【００１４】
本発明によれば、装飾模様に背景色の映り込みによる陰影がないため、装飾部材、或いは装飾部材を装着したエアバッグの商品価値を向上することができる。また、装飾模様の色彩の変更は、異なる色例えば、金色、銀色、銅色等に塗装された当接板を代えるだけで可能であるから、装飾部材自体を代える場合に比べて低コストである。
【発明を実施するための最良の形態】
【００１５】
以下、本発明の実施の形態に係る装飾部材について添付図面を参照して説明する。
図１は、本発明に係る装飾部材の断面図、図２はその装飾板と当接板の一部を拡大して示す断面図である。この断面図中、図６と同じ箇所には同一の番号を付している。
【００１６】
本実施形態に係る装飾部材１０は、例えばアクリル樹脂又はポリカーボネートなどの透明合成樹脂でできた装飾板１２と、ポリカーボネートＡＢＳ樹脂でできた当接板１４と、装飾板１２と当接板１４を重ねて一体に係合させる保持枠としての環状枠（リング）１６と、これらを収容する容器１８とからなっている。
【００１７】
装飾板１２は、裏面に刻設或いは成型などにより凹状に形成つまり凹設された装飾模様Ｄを有し、その装飾模様Ｄ以外の部分は、例えばシルク印刷により黒色塗装Ｂが施されている。ここで、装飾板１２のこの構成及びその他、容器１８、第１及び第２の電極２０、２２等の構成は、図６、図７に示した従来のものと同一である。
ただ、装飾板１２は、図２に示すように、その装飾模様Ｄには従来のように塗装が施されておらず透明のままであり、したがって、装飾板１２を表面から見たとき、その裏側の当接板１４の表面の色彩が装飾模様Ｄに反映されるようになっている点で従来のものと相違している。
【００１８】
従って、前記当接板１４の表面に、例えば蒸着メッキにより銀色の塗装Ｓを施し、装飾板１２の裏側に当接板１４を重ねた状態で装飾板１２を正面から見ると、背景の黒色の中に当接板１４の銀色塗装Ｓにより装飾模様が銀色に浮かび上がる。この場合、装飾板１２の表面側から見て手前側となる前記模様Ｄ部分は透明であるから、装飾模様Ｄ部分が周りの背景色（この場合は黒色）を反射することはまずあり得ない。つまり、黒色の背景色内に浮かび上がった銀色の装飾模様は、透明な装飾板１２を通してみた当接板１４の表面の色彩（銀色）であり、装飾模様自体は透明であるからこれに背景色（黒色）が反映されることはない。
【００１９】
従って、装飾模様には従来のような黒色の映り込みによる陰影はなく、すっきりした銀色となり商品価値が従来のものよりも格段に向上する。また、それだけではなく、当接板１４を異なる色彩を施したものに代えることで、装飾模様の色彩を自由に変えることができる。この場合、当接板１４は、装飾模様を形成した装飾板１２に比して低コストであるから、従来のように装飾板自体を変えるものに比して、低コストで色彩の異なる装飾模様を得ることができる。
【００２０】
次に、以上で説明した装飾部材を適用した別の実施形態について説明する。
図３は、前記装飾部材をセンター部材としてエアバッグ装置に適用した実施形態を示す正面図、図４はエアバッグ装置を模式的に示した断面図である。
本実施形態に係る装飾部材は、図３に示すようにエアバッグ装置のカバー５０に装着されてステアリングホイール６０の中央部に配置されている。
車両のステアリング装置に組込まれるエアバッグ装置は、図４に示すように、エアバッグの支持部材３０、エアバッグ４０、及びエアバッグカバー５０等を備えており、このエアバッグ装置のエアバッグカバー５０には、以上で説明した構成を備えた装飾部材１０が取り付けられる。
【００２１】
即ち、このエアバッグカバー５０は、樹脂により略椀状に形成されており、その中央部分には、センター部材としての装飾部材１０を収容するため、装飾部材１０の容器１８の形状に対応した略円錐台形の凹部５２が備えられている。
装飾部材１０は、前記凹部５２中に配置され、その際、その第２電極となるボルト２２をナット２５で連結部材２８に固定することで、装飾板１２を備えた装飾部材（センター部材）１０をエアバッグカバー５０に取り付けることができる。
【００２２】
エアバッグカバー５０内には、連結部材２８の周りに畳み込まれたエアバッグ４０が収納されており、このエアバッグカバー５０も、前記ボルト２２及びナット２５により、べースプレート３６にネジ固定される。
【００２３】
ここで、支持部材３０は、ステアリングシャフト（図示せず）の端部側に取り付けられてステアリングホイール１０の略中央部に配置される部材であり、ベースプレート３６とクッションプレート３２と連結部材２８とを備えている。なお、３８はインフレータ、６０はステアリングホイールである。
以上のように、装飾部材をエアバッグ装置に適用することにより、エアバッグ装置の商品価値を従来のものより一層高めることができる。
【図面の簡単な説明】
【００２４】
【図１】本発明に係る装飾部材の断面図である。
【図２】本発明に係る装飾部材の一部拡大断面図である。
【図３】本発明の装飾部材をセンター部材としてエアバッグ装置に適用した実施形態を示す正面図、
【図４】エアバッグ装置を模式的に示した断面図である。
【図５】従来の装飾部材を備えたエアバッグ装置をステアリングホイールに装着した状態を示す正面図である。
【図６】従来の装飾部材の断面図である。
【図７】図６に示す装飾部材の一部拡大断面図である。
【符号の説明】
【００２５】
１０・・・装飾部材（センター部材）、１２・・・装飾板、１４・・・当接板、１４ａ・・・案内突条、１８・・・容器、２０・・・第１の電極、２２・・・ボルト（第２の電極）、２４・・・案内突条、４０・・・エアバッグ、５０・・・エアバッグカバー、５２・・・凹部。
【図１】
2006131083.tif 000003
【図２】
2006131083.tif 000004
【図３】
2006131083.tif 000005
【図４】
2006131083.tif 000006
【図５】
2006131083.tif 000007
【図６】
2006131083.tif 000008
【図７】
2006131083.tif 000009